(57)【特許請求の範囲】
【請求項１】
両端部に受け口を有する９０度曲がり継手本体の一端にフランジを有する管継手において、
前記フランジは継手本体の一端外周面に接合されたリング状フランジであり、
円筒状のガイド片が前記フランジ側の曲がり継手本体受け口内に接合され、
前記フランジ面と受け口の開口端面は面一とされると共に、
前記ガイド片の先端はフランジ面よりも外方に突設されており、
フランジの外周縁部に複数のボルト孔が穿孔されていることを特徴とする管継手。
【請求項２】
両端部に受け口を有する９０度曲がり継手本体の一端にフランジを有する管継手において、
前記フランジはリング状ルーズフランジであり、
前記フランジ側の曲がり継手本体受け口先端には係止突起が設けられ、
前記ルーズフランジの内周縁には、前記係止突起に係合する係止段部が設けられ、
円筒状のガイド片が前記フランジ側の曲がり継手本体受け口内に接合され、
前記ガイド片の先端はフランジ面よりも外方に突設されており、
フランジの外周縁部に複数のボルト孔が穿孔されていることを特徴とする管継手。
【請求項３】
請求項１又は２記載の９０度曲がり継手本体の一端の受け口には可撓性樹脂管を介して便器の排水口に接続され、
他端の前記フランジは上面を既設床面から嵩上げされた新設床面と面一とされ、
前記ガイド片の外周面とラッパ状に拡径された排水管の開口部内周面との間にシールリングが装着され、
フランジ下面に排水管の上端面が載置されると共に、
フランジ下面と既設床面との間には、前記排水管の上端部を覆い隠す短筒状の間隔保持部材が介在されていることを特徴とする便器と排水管との接続構造。
【発明の詳細な説明】
【０００１】
【発明の属する技術分野】
本発明は集合住宅のリニューアルの際に用いられる管継手に関する。
【０００２】
【従来の技術】
集合住宅のリニューアルにおいて、便器の位置を変更することは従来は不可能であるとの考えが一般的であった。このため、高齢者に対応するためには、バリアフリーもさることながら、車椅子にてトイレが使用できるようにするには、トイレの空間を広くし、かつ、手摺りなどを設けるために既設トイレの移動が必要となってくる。
【０００３】
【発明が解決しようとする課題】
ところで、移動後の便器の位置に排水縦管を配管替えすることも可能であるが、一般的に集合住宅のリニューアルは戸別ごとに行われることが多いため、排水縦管の移動が不可能な場合が多い。
【０００４】
ところで、排水口が下部にある便器においては、図６に示すように、排水管５ａの便器８ａに近接する部分はラッパ状に加工された鉛管や樹脂管が一般的に使用されている。また、図７に示すように、便器８ａと床面Ｆを固定する固定治具６１ａが床面Ｆに固定されており、固定治具６１ａと便器８ａの台座８１ａが木ねじ６ａにて固定されて便器８ａが床面Ｆに固定されている。一方、ラッパ状に加工された排水管５ａの上端と便器８ａの排水口の下端との間にはシール用のゴム状弾性体が使用されている。
【０００５】
鋼管の溶接継手などにおいては、曲がり継手本体の片側にフランジを溶接した管継手が配管現場にて使用されているが、この管継手では曲がり継手本体の開口端面とフランジ端面とが面一となっている。このため、ゴム状弾性体を介して、固定治具にて管継手を排水管に固定した場合、ゴム状弾性体が排水管内に落ち込む恐れがあり、シール性が損なわれることがあった。
【０００６】
しかしながら、現在まで移動後の便器と排水管とを接続できる管継手は存在していなかった。
【０００７】
本発明の目的は、既設の便器が下部に排水口を備えたものであっても、リニューアルの際に、側部に排水口を備えた便器に変更することによって、排水縦管の移動を伴うことなく、便器を移動して配管接続して設置することができる管継手を提供することである。
【０００８】
【課題を解決するための手段】
請求項１記載の発明は、両端部に受け口を有する９０度曲がり継手本体の一端にフランジを有する管継手において、
前記フランジは継手本体の一端外周面に接合されたリング状フランジであり、
円筒状のガイド片が前記フランジ側の曲がり継手本体受け口内に接合され、
前記フランジ面と受け口の開口端面は面一とされると共に、
前記ガイド片の先端はフランジ面よりも外方に突設されており、
フランジの外周縁部に複数のボルト孔が穿孔されているものである。
【０００９】
請求項２記載の発明は、両端部に受け口を有する９０度曲がり継手本体の一端にフランジを有する管継手において、
前記フランジはリング状ルーズフランジであり、
前記フランジ側の曲がり継手本体受け口先端には係止突起が設けられ、
前記ルーズフランジの内周縁には、前記係止突起に係合する係止段部が設けられ、
円筒状のガイド片が前記フランジ側の曲がり継手本体受け口内に接合され、
前記ガイド片の先端はフランジ面よりも外方に突設されており、
フランジの外周縁部に複数のボルト孔が穿孔されているものである。
【００１０】
請求項３記載の発明は、請求項１又は２記載の９０度曲がり継手本体の一端の受け口には可撓性樹脂管を介して便器の排水口に接続され、他端の前記フランジは上面を既設床面から嵩上げされた新設床面と面一とされ、前記ガイド片の外周面とラッパ状に拡径された排水管の開口部内周面との間にシールリングが装着され、フランジ下面に排水管の上端面が載置されると共に、フランジ下面と既設床面との間には、前記排水管の上端部を覆い隠す短筒状の間隔保持部材が介在されていることを特徴とする便器と排水管との接続構造である。
【００１３】
（作用）
請求項１記載の本発明の管継手においては、両端部に受け口を有する９０度曲がり継手本体の一端にフランジを有する管継手において、前記フランジは継手本体の一端外周面に接合されたリング状フランジであり、円筒状のガイド片が前記フランジ側の曲がり継手本体受け口内に接合され、前記フランジ面と受け口の開口端面は面一とされると共に、
前記ガイド片の先端はフランジ面よりも外方に突設されており、フランジの外周縁部に複数のボルト孔が穿孔されているので、このガイド片の外周にシールリングを装着することで、このシールリングが排水管内に落ち込むことなく、床面から突出した排水管の上端と水密状に接続できる。
【００１４】
請求項２記載の本発明の管継手においては、両端部に受け口を有する９０度曲がり継手本体の一端にフランジを有する管継手において、前記フランジはリング状ルーズフランジであり、前記フランジ側の曲がり継手本体受け口先端には係止突起が設けられ、前記ルーズフランジの内周縁には、前記係止突起に係合する係止段部が設けられ、円筒状のガイド片が前記フランジ側の曲がり継手本体受け口内に接合され、前記ガイド片の先端はフランジ面よりも外方に突設されており、フランジの外周縁部に複数のボルト孔が穿孔されているので、このガイド片の外周にシールリングを装着することで、このシールリングが排水管内に落ち込むことなく、床面から突出した排水管の上端と水密状に接続できる。
更に、フランジがルーズタイプのものであるので、床面に固定した固定具に対してフランジのボルト孔の位置合わせをすることなく、固定用のボルトにてフランジを固定することができる。このため、新設便器の設置位置がどこであっても対応できる。
【００１５】
請求項３記載の本発明の便器と排水管との接続構造においては、請求項１又は２記載の９０度曲がり継手本体の一端の受け口には可撓性樹脂管を介して便器の排水口に接続され、他端の前記フランジは上面を既設床面から嵩上げされた新設床面と面一とされ、前記ガイド片の外周面とラッパ状に拡径された排水管の開口部内周面との間にシールリングが装着され、フランジ下面に排水管の上端面が載置されると共に、フランジ下面と既設床面との間には、前記排水管の上端部を覆い隠す短筒状の間隔保持部材が介在されているので、既設床面から突出した排水管の周りを間隔保持部材にて覆い隠すことができ、見栄えがよくなる。
【００１８】
【発明の実施の形態】
以下、本発明の実施の形態の一例を図面に基づいて説明する。
図１は本発明の管継手の第１実施例を示す平面図、図２は図１のＸ−Ｘ断面図である。
【００１９】
図１において、１は硬質塩化ビニル樹脂製の管継手であり、両端部に受け口２１，２１を有する９０度エルボ継手本体２と、この継手本体２の一端外周に接着して固定されたリング状のフランジ３と、このフランジ３側のエルボ継手本体２の受け口２１内に挿入接続された短円筒状のガイド片４とから形成されている。フランジ面３Ａと受け口２１の開口端面はほぼ面一とされ、また、ガイド片４の先端は受け口２１の開口よりも外方に突出されている。
【００２０】
フランジ３の外周縁の４箇所にはボルト孔３１が穿孔されるとともに、このボルト孔３１よりも内側に位置するフランジ面３Ａから短円筒状の間隔保持部材３２がガイド片４と同心状に接着されて立設されている。この間隔保持部材３２の長さは、後述するように、床面Ｆから突出した排水管５の突出長さに対応した長さとされている。なお、間隔保持部材３２の長さを多少長めにしておいて、適用される排水管５の突出長さに対応させて所定長さに切断して調整するようにしてもよい。
【００２１】
なお、間隔保持部材３２は短円筒状のものに代えて、複数の円柱状の突起としてもよい。その際、突起は中実状あるいは中空状のいずれでもよい。
【００２２】
つぎに、上記管継手１の使用状態を図３に基づいて説明する。
既設の便器を取り外して、床面Ｆから突出した排水管５の上端開口部５１を露出させる。図３に示すように、排水管５の上端部はラッパ状に拡径されている。管継手１のガイド片４の外周にゴム製のシールリング４１を装着し、このシールリング４１を装着したガイド片４を排水管５の開口部５１内に差し込み、フランジ面３Ａを排水管５の上端面に載置する。そして、フランジ３のボルト孔３１の位置調整を行い、床面Ｆの４箇所に固定した固定具６１の雌ネジに固定ボルト６をねじ込んで管継手１のフランジ３を固定する。
【００２３】
つぎに、新設の便器８を嵩上げした床面Ｆ１の所定位置に設置する。この便器８はその側部に排水口（図示せず）を備えている。そして、便器８の排水口と管継手１の受け口２１との間を可撓性の樹脂管７にて配管接続する。なお、樹脂管７の両端部外周面は配管接続できるように平滑にされている。
【００２４】
このようにして、下部に排水口を備えた既設の便器に代えて、図３に示すような側部に排水口を備えた便器８に変更し、排水管５を移動させることなく、新設の便器８の設置位置を変更することでリニューアルを行うことができる。このため、集合住宅のリニューアルに好適である。
【００２５】
また、床面を嵩上げすることによって、新設床面Ｆ１の高さを洗面所側の床面Ｆ２の高さと同一レベルにでき、高齢者や障害者に対応したバリアフリー対応のトイレとすることができる。さらに、トイレの空間を広くして手摺りなども設けることができるようになる。
【００２６】
図４は本発明の管継手の第２実施例を示す縦断面図である。
この場合、図４に示すように、エルボ継手本体２の一端外周に存在しているフランジをルーズタイプのものとした以外は、基本的に上記第１実施例の管継手と同一であるので、同一部分には同一符号を付して説明を省略する。
【００２７】
すなわち、図５に示すようにフランジ３ａ側の受け口２１ａの開口端外周には環状の係止突起２１１ａが一体に設けられており、一方、フランジ３ａの対応する内周縁には係止段部３１１ａが設けられている。
【００２８】
このように、フランジをルーズタイプのものとすることで、新設の便器８の設置位置がどこであっても対応することができる。
【００２９】
【発明の効果】
請求項１又は２記載の本発明の管継手においては、フランジ側の曲がり継手本体の開口端から環状のガイド片がフランジ面よりも外方に突設されているので、このガイド片の外周にシールリングを装着することで、このシールリングが排水管内に落ち込むことなく、床面から突出した排水管の上端と簡単に水密状に接続することができる。
請求項２記載の管継手では、フランジがルーズタイプのものであるので、たとえば床面に固定した固定具に対して、フランジのボルト孔の位置合わせをすることなく、固定用のボルトにてフランジを固定することができる。  また、管継手の受け口を任意方向に向けて配管接続することができ、新設便器の移動位置がどこであっても対応できる。
【００３０】
請求項３記載の本発明の便器と排水管との接続構造においては、請求項１又は２記載の９０度曲がり継手本体の一端の受け口には可撓性樹脂管を介して便器の排水口に接続され、他端の前記フランジは上面を既設床面から嵩上げされた新設床面と面一とされ、前記ガイド片の外周面とラッパ状に拡径された排水管の開口部内周面との間にシールリングが装着され、フランジ下面に排水管の上端面が載置されると共に、フランジ下面と既設床面との間には、前記排水管の上端部を覆い隠す短筒状の間隔保持部材が介在されているので、この間隔保持部材の先端を既設床面に当接させることによって、新設床面とフランジ面の角度が常に一定になるように管継手を配管接続することができる。
更に、間隔保持部材が環状のガイド片と同心状に突設された短筒状のものであるので、既設床面から突出した排水管の周りが間隔保持部材によって覆い隠されることになり、外観上の見栄えがよくなる。
【００３１】
請求項３記載の本発明の管継手においては、間隔保持部材が環状のガイド片と同心状に突設された短管状のものであるので、床面から突出した排水管の周りが間隔保持部材によって覆い隠されることになり、外観上の見栄えがよくなる。
【図面の簡単な説明】
【図１】本発明の管継手の第１実施例を示す平面図である。
【図２】図１のＸ−Ｘ断面図である。
【図３】図１の管継手の使用状態を示す説明図である。
【図４】本発明の管継手の第２実施例を示す縦断面図である。
【図５】図４の要部を示す拡大断面図である。
【図６】下部に排水口を備えた従来の便器の取付け構造を示す説明図である。
【図７】図５の要部を示す拡大断面図である。
【符号の説明】
１  管継手
２  エルボ継手本体
２１  受け口
３  フランジ
３１  ボルト孔
３２  間隔保持部材
４  ガイド片
５  排水管
６  固定ボルト
６１  固定具
７  樹脂管
８  便器
Ｆ，Ｆ１，Ｆ２  床面
【図１】
0004302268.tif 000002
【図２】
0004302268.tif 000003
【図３】
0004302268.tif 000004
【図４】
0004302268.tif 000005
【図５】
0004302268.tif 000006
【図６】
0004302268.tif 000007
【図７】
0004302268.tif 000008